(57)【要約】【課題】パネル上に照明装置を安定的に固定することができる上、パネルから容易に取り外して使用することができるスイッチパネルの照明構造の提供。【解決手段】スイッチパネルの照明構造は、パネル１及び照明装置２を備える。パネル１は、少なくとも１つの周縁部に、収納エリア１１が設けられている。収納エリア１１の中には、外部電源に接続された交流／直流変換モジュール１３と接続された導電部１２が設けられている。照明装置２が、収納エリア１１の中に着脱自在に配置され、第１の発光部２１及び第２の発光部２２を有する。照明装置２の中には、第１の発光部２１及び第２の発光部２２に接続された照明制御モジュール２３が設けられている。照明制御モジュール２３が、接点２３０により、導電部１２を介して交流／直流変換モジュール１３と電気的に接続されている。【選択図】図１
0003164190.tif 000002
【実用新案登録請求の範囲】
【請求項１】
パネル及び照明装置を備えるスイッチパネルの照明構造であって、
前記パネルが、少なくとも１つの周縁部に、収納エリアが設けられ、前記収納エリアの中には、外部電源に接続された交流／直流変換モジュールと接続された導電部が設けられ、
前記照明装置が、前記収納エリアの中に着脱自在に配置され、第１の発光部及び第２の発光部を有し、前記照明装置の中には、前記第１の発光部及び前記第２の発光部に接続された照明制御モジュールが設けられ、
前記照明制御モジュールが、接点により、導電部を介して前記交流／直流変換モジュールと電気的に接続され、
前記照明装置が、前記第１の発光部、前記第２の発光部、及び前記照明制御モジュールに接続されたスイッチを有することを特徴とするスイッチパネルの照明構造。
【請求項２】
収納エリアが、一方の端部に設けられた開口部と、他方の端部に設けられ、中央部に貫通孔が穿設されたストッパ部と、を有する請求項１に記載のスイッチパネルの照明構造。
【請求項３】
交流／直流変換モジュールが、互いに電気的に接続された高周波スイッチユニット及び電流制限充電ユニットを有する請求項１に記載のスイッチパネルの照明構造。
【請求項４】
第１の発光部が、照明装置の側縁に設けられ、
第２の発光部が、照明装置の端縁に設けられている請求項１に記載のスイッチパネルの照明構造。
【請求項５】
照明制御モジュールが、互いに電気的に接続された充電電池、昇圧回路、照明モード検出ユニット、及び照度検出ユニットを有する請求項１に記載のスイッチパネルの照明構造。
【考案の詳細な説明】
【技術分野】
【０００１】
本考案は、スイッチパネルの照明構造に関し、特に、照明装置をパネル上へ安定的に固定したり、パネルから容易に取り外して使用したりすることができる上、照明装置を設置してもパネルの外形寸法が変わらないためパネルの見栄えを良好に維持しながら、夜間照明、緊急照明及び移動照明の機能を有するスイッチパネルの照明構造に関する。
【背景技術】
【０００２】
従来より、周知の照明構造を備えるスイッチパネルは、周縁部に嵌合溝が設けられたパネルと、パネル上に着脱自在に設けられた照明装置とを含む。照明装置の少なくとも１つの側縁には、嵌合溝と着脱自在に接続されるガイドを利用し、パネル上に照明装置を設置して常夜灯として使用したり、照明装置を取り外して懐中電灯として使用したりすることができる。
【０００３】
しかし、パネルと照明装置との間は、嵌合溝とガイドとが摺動可能に嵌合されているため、パネル上で摺動する照明装置の摺動ストロークが長い上、迅速に取り外すことができず、嵌合溝にブロックを組み立てる際、正確に嵌入できずに、位置がずれたり、溝から外れたりすることがあった。そのため、ユーザが使用する際、照明装置とパネルとを安定的に結合させることができない虞があった。
【０００４】
更に別の従来の照明構造を備えるスイッチパネルでは、従来の問題点を解決するために、パネルの周縁部に第１の吸着部（例えば、磁石、金属片など）が設けられ、照明装置の一面上には、第１の吸着部に吸着される第２の吸着部（例えば、磁石、金属片など）が設けられている。そのため、第１の吸着部と第２の吸着部とを互いに吸着させ、パネルと照明装置とを容易に着脱させることができる。
【０００５】
上述の第１の吸着部及び第２の吸着部を使用する方式は、嵌合溝及びブロックを使用する際に発生する問題点を改善することができるが、どちらの方式でも照明装置はパネルの周縁部へ付加的に配置されていた。そのため、パネルが大きく見え、パネル全体の見た目に悪影響を与える虞があった。
【０００６】
そのため、照明装置をパネル上へ安定的に固定したり、パネルから容易に取り外して使用したりすることができる上、照明装置を設置してもパネルの外形寸法が変わらないためパネルの見栄えを良好に維持しながら、夜間照明、緊急照明及び移動照明の機能を有するスイッチパネルの照明構造の提供が求められていた。
【考案の概要】
【考案が解決しようとする課題】
【０００７】
本考案は、従来における前記諸問題を解決し、以下の目的を達成することを課題とする。即ち、本考案は、照明装置をパネル上へ安定的に固定したり、パネルから容易に取り外して使用したりすることができる上、照明装置を設置してもパネルの外形寸法が変わらないためパネルの見栄えを良好に維持しながら、夜間照明、緊急照明及び移動照明の機能を有するスイッチパネルの照明構造を提供することを目的とする。
【課題を解決するための手段】
【０００８】
前記課題を解決するために、本考案の第１の形態によれば、パネル及び照明装置を備えるスイッチパネルの照明構造であって、前記パネルは、少なくとも１つの周縁部に、収納エリアが設けられ、前記収納エリアの中には、外部電源に接続された交流／直流変換モジュールと接続された導電部が設けられ、前記照明装置が、前記収納エリアの中に着脱自在に配置され、第１の発光部及び第２の発光部を有し、前記照明装置の中には、前記第１の発光部及び前記第２の発光部に接続された照明制御モジュールが設けられ、前記照明制御モジュールが、接点により、導電部を介して前記交流／直流変換モジュールと電気的に接続され、前記照明装置が、前記第１の発光部、前記第２の発光部及び前記照明制御モジュールに接続されたスイッチを有することを特徴とするスイッチパネルの照明構造が提供される。
【０００９】
また、前記収納エリアが、一方の端部に設けられた開口部と、他方の端部に設けられ、中央部に貫通孔が穿設されたストッパ部とを有することが好ましい。
【００１０】
また、前記交流／直流変換モジュールが、互いに電気的に接続された高周波スイッチユニット及び電流制限充電ユニットを有することが好ましい。
【００１１】
また、前記第１の発光部が、前記照明装置の側縁に設けられ、前記第２の発光部が、前記照明装置の端縁に設けられていることが好ましい。
【００１２】
また、前記照明制御モジュールが、互いに電気的に接続された充電電池、昇圧回路、照明モード検出ユニット及び照度検出ユニットを有することが好ましい。
【考案の効果】
【００１３】
本考案によると、従来における問題を解決することができ、照明装置をパネル上に安定的に固定したり、パネルから容易に取り外して使用したりすることができる上、照明装置を設置してもパネルの外形寸法が変わらないためパネルの見栄えを良好に維持しながら、夜間照明、緊急照明及び移動照明の機能を有するスイッチパネルの照明構造を提供することができる。
【図面の簡単な説明】
【００１４】
【図１】本考案の一実施形態によるスイッチパネルの照明構造を示す分解斜視図である。
【図２】本考案の一実施形態によるスイッチパネルの照明構造を示す斜視図である。
【図３】本考案の一実施形態による交流／直流変換モジュール及び照明制御モジュールを示すブロック図である。
【図４】本考案の一実施形態によるスイッチパネルの照明構造を示すブロック図である。
【図５】本考案の一実施形態によるスイッチパネルの照明構造を示す断面図である。
【図６】本考案の一実施形態によるスイッチパネルの照明構造を懐中電灯モードで使用するときの状態を示す模式図である。
【考案を実施するための形態】
【００１５】
以下、本考案の実施形態について図に基づいて説明する。なお、これによって本考案が限定されるものではない。
【００１６】
図１は、本考案の一実施形態によるスイッチパネルの照明構造を示す分解斜視図、図２は、本考案の一実施形態によるスイッチパネルの照明構造を示す斜視図、図３は、本考案の一実施形態による交流／直流変換モジュール及び照明制御モジュールを示すブロック図である。図１〜図３に示すように、本考案の一実施形態によるスイッチパネルの照明構造は、パネル１及び照明装置２を含む。
【００１７】
図１〜図３に示すように、本考案の一実施形態におけるパネル１の少なくとも１つの周縁部には、収納エリア１１が設けられている。収納エリア１１は、一方の端部に開口部１１１が設けられ、他方の端部にストッパ部１１２が設けられている。ストッパ部１１２の中央部には、貫通孔１１３が設けられている。収納エリア１１の中には、交流／直流変換モジュール１３と接続された導電部１２が設けられている。交流／直流変換モジュール１３は、図３に示すように、外部電源と接続され、互いに電気的に接続された高周波スイッチユニット１３１及び電流制限充電ユニット１３２を含む。
【００１８】
図１〜図３に示すように、本考案の一実施形態における照明装置２は、第１の発光部２１及び第２の発光部２２を含み、パネル１の収納エリア１１の中に配置される。第１の発光部２１は、照明装置２の側縁に設けられている。第２の発光部２２は、照明装置２の端縁に設けられている。照明装置２の中には、第１の発光部２１及び第２の発光部２２に接続された照明制御モジュール２３が配置されている。照明制御モジュール２３は、接点２３０により、導電部１２を介して交流／直流変換モジュール１３と電気的に接続されている。照明制御モジュール２３は、図３に示すように、互いに電気的に接続された充電電池２３１、昇圧回路２３２、照明モード検出ユニット２３３及び照度検出ユニット２３４を含む。照度検出ユニット２３４は、パネル１の外側面上に設けられている。照明装置２は、第１の発光部２１、第２の発光部２２及び照明制御モジュール２３と接続されたスイッチ２４を含む。
【００１９】
図４〜図６に示すように、本考案の一実施形態におけるスイッチパネルの照明構造は、実際に使用する際には、パネル１を室内スイッチ３（又は電力プラグ）の外側に設置して元のスイッチパネルを代替する。照明装置２は、パネル１の周縁部に設けられた収納エリア１１と結合されるため、照明装置２を設置してもパネル１の外形寸法が変わらず、パネル１が有する見た目を良好に維持することができる。また、室内スイッチ３の配電回路が活線（正極として用いる）しか有さない場合、交流／直流変換モジュール１３、照明装置２及び照明制御モジュール２３を充電することができない。そのため、本実施形態では、配線を行う際、室内スイッチ３の配電回路中に負極として使用する接地線を設け、室内スイッチ３と室内照明ユニット４との間に負極の回路を設ける。照明装置２は、導電部１２を利用し、交流／直流変換モジュール１３を介して室内スイッチ３の電源と接続した後、室内スイッチ３により室内照明ユニット４がオフして負極回路が形成されると、照明装置２を充電することができる。
【００２０】
実際に、パネル１へ照明装置２を結合して使用する際は、開口部１１１から収納エリア１１中へ照明装置２を直接設置し、収納エリア１１の他方の端部のストッパ部１１２をストッパとして用いることにより、パネル１へ照明装置２を安定的に固定させるとともに、照明制御モジュール２３の接点２３０を導電部１２と接触させ（図５参照）、照明制御モジュール２３と交流／直流変換モジュール１３とを導通させ、動作に必要な電力を得ることができる上、交流／直流変換モジュール１３により、照明装置２の充電電池２３１を充電することができる。充電する際は、高周波スイッチユニット１３１により、交流高圧を直流低圧へ変換し、電流制限充電ユニット１３２により充電電池２３１を保護し、充電電池２３１自身の電圧が低い場合、昇圧回路２３２を利用して昇圧し、第１の発光部２１及び第２の発光部２２を駆動させる。
【００２１】
照明装置２とパネル１とを結合し、照明制御モジュール２３の照度検出ユニット２３４により環境の外部光源を検出する。暗くなったり、停電したことを照度検出ユニット２３４が検出すると、第１の発光部２１をオンして常夜灯の照明として用いたり、緊急用の照明（図２参照）として用いたりすることができる。反対に十分明るい場合、照度検出ユニット２３４は、第１の発光部２１をオフし、充電電池２３１を充電する。停電した場合、ユーザは、第１の発光部２１から発光される光源を緊急照明として用い、照明装置２の位置を探し出すことができるとともに、ストッパ部１１２の貫通孔１１３から、照明装置２の他方の端部（即ち、底部の位置）へ外力を加えると、パネル１の収納エリア１１から照明装置２を容易に取り外して使用することができる。照明制御モジュール２３が交流／直流変換モジュール１３から離れると、照明モード検出ユニット２３３が懐中電灯モードに切り替わる。この際、ユーザがスイッチ２４をオンすると、充電電池２３１により電源が供給されて第２の発光部２２が点灯し、懐中電灯として使用することができる（図６参照）。使用した後、照明装置２を開口部１１１から収納エリア１１の中へ設置すると、パネル１へ安定的に固定される。照明制御モジュール２３と交流／直流変換モジュール１３とを接続すると、照明モード検出ユニット２３３から常夜灯モードに切り替えて使用することができる。本実施形態のスイッチパネルの照明構造は、常夜灯モード又は懐中電灯モードであっても、スイッチ２４及び充電電池２３１により、第１の発光部２１及び第２の発光部２２をオンしたりオフしたりすることができる。
【００２２】
上述したことから分かるように、本考案のスイッチパネルの照明構造は、照明装置をパネル上へ安定的に固定したり、パネルから容易に取り外して使用したりすることができる上、照明装置を設置してもパネルの外形寸法が変わらないためパネルの見栄えを良好に維持しながら、夜間照明、緊急照明及び移動照明の機能を得ることができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１      パネル
２      照明装置
３      室内スイッチ
４      室内照明ユニット
１１      収納エリア
１２      導電部
１３      交流／直流変換モジュール
２１      第１の発光部
２２      第２の発光部
２３      照明制御モジュール
２４      スイッチ
１１１      開口部
１１２      ストッパ部
１１３      貫通孔
１３１      高周波スイッチユニット
１３２      電流制限充電ユニット
２３０      接点
２３１      充電電池
２３２      昇圧回路
２３３      照明モード検出ユニット
２３４      照度検出ユニット
【図１】
0003164190.tif 000003
【図２】
0003164190.tif 000004
【図６】
0003164190.tif 000005
【図３】
0003164190.tif 000006
【図４】
0003164190.tif 000007
【図５】
0003164190.tif 000008